(57)【要約】【課題】断熱壁の内外にかかる温度差を小さくし、庫内に入る熱量を減らすことができる冷凍冷蔵庫を提供する。【解決手段】外箱１と内箱２とこれらの両者間に充填された断熱材３とからなり、前面側が開口した断熱箱体１０を、仕切板４により上段部屋６、中段部屋、下段部屋８に区画し、さらに、中段の部屋を仕切板４により左中段部屋７ａ、中央部屋５、中段右部屋７ｂに区画し、中央部屋５を冷凍室とし、上段部屋６、下段部屋８、左中段部屋７ａ及び中段右部屋７ｂの温度帯を冷凍室より高くしている。また、上段部屋６は冷蔵室、下段部屋８は野菜室、中段左右部屋７ａ、７ｂは冷蔵室か野菜室を配置した。【選択図】図１
2008082625.tif 000002
【特許請求の範囲】
【請求項１】
外箱と内箱とこれらの両者間に充填された断熱材とからなり、前面側が開口した断熱箱体を、仕切板により上段部屋、中段部屋、下段部屋に区画し、さらに、前記中段の部屋を仕切板により左中段部屋、中央部屋、中段右部屋に区画し、前記中央部屋を冷凍室とし、前記上段部屋、前記下段部屋、前記左中段部屋及び前記中段右部屋の温度帯を前記冷凍室より高くしたことを特徴とする冷凍冷蔵庫。
【請求項２】
前記冷凍室の背面に冷却器を設けたことを特徴とする請求項１記載の冷凍冷蔵庫。
【請求項３】
前記冷却器の上に冷気を循環させるファンを設けたことを特徴とする請求項２記載の冷凍冷蔵庫。
【請求項４】
前記上段部屋を冷蔵室、前記下段部屋を野菜室としたことを特徴とする請求項１〜３のいずれかに記載の冷凍冷蔵庫。
【請求項５】
前記上段部屋を野菜室、前記下段部屋を冷蔵室としたことを特徴とする請求項１〜３のいずれかに記載の冷凍冷蔵庫。
【請求項６】
強制空冷凝縮器と圧縮機を前記下段部屋の野菜室の底面側、あるいは、背面側に配設したことを特徴とする請求項４記載の冷凍冷蔵庫。
【請求項７】
強制空冷凝縮器と圧縮機を上段部屋の野菜室の上面側の前記断熱箱体の天面に配設したことを特徴とする請求項５記載の冷凍冷蔵庫。
【請求項８】
前記強制空冷凝縮器と前記圧縮機の排熱・送風により食器を乾燥させる乾燥用ケースを前記強制空冷凝縮器と前記圧縮機の上に備えことを特徴とする請求項7記載の冷凍冷蔵庫。
【請求項９】
前記冷凍室から前記冷却器へ冷気が戻る風路と、前記下段部屋から前記冷却器へ冷気が戻る風路とを前記冷却器の上流側で区分けしたことを特徴とする請求項３〜８記載の冷凍冷蔵庫。
【請求項１０】
前記ファンから吹き出された冷気が前記冷凍室及び前記冷凍室の戻り口を通り前記冷却器に戻る中央風路と、
前記ファンから吹き出された冷気が、前記上段部屋、前記左部屋及び前記下段部屋の戻り口、あるいは、前記左部屋及び前記下段部屋の戻り口を通り前記冷却器に戻る左風路と、
前記ファンから吹き出された冷気が、前記上段部屋、前記右部屋及び前記下段部屋の戻り口、あるいは、前記右部屋及び前記下段部屋の戻り口を通り前記冷却器に戻る右風路と、
を備えたことを特徴とする請求項９記載の冷凍冷蔵庫。
【請求項１１】
前記中央風路、前記左風路及び前記右風路の途中にある前記仕切板に、前記中央風路、前記左風路及び前記右風路を各々形成する貫通穴を備えたことを特徴とする請求項１０記載の冷凍冷蔵庫。
【請求項１２】
前記下段部屋の前記戻り口に冷気の流れを制御するダンパーを備えたことを特徴とする請求項１０または１１記載の冷凍冷蔵庫。
【請求項１３】
前記中段左部屋または前記中段右部屋を温度を自由に設定できる切替室とし、
前記ファンから吹き出された冷気が前記中段左部屋または前記中段右部屋を通り前記冷却器へと戻る風路を備えたことを特徴とする請求項３〜８のいずれかに記載の冷凍冷蔵庫。
【請求項１４】
前記中段左部屋あるいは前記中段右部屋を容器入り飲料あるいは調味料用冷蔵室として幅を狭くし、前記冷凍室の幅を広くしたことを特徴とする請求項１〜１３のいずれかに記載の冷凍冷蔵庫。
【請求項１５】
前記上段部屋の扉側に調味料置き場を備えたことを特徴とする請求項１〜１４のいずれかに記載の冷凍冷蔵庫。
【請求項１６】
前記上段部屋の扉を両開きの観音扉としたことを特徴とする請求項１〜１５のいずれかに記載の冷凍冷蔵庫。
【請求項１７】
前記断熱箱体の上に電源コンセントを前記断熱箱体の天面あるいは外側面に備えたことを特徴とする請求項１〜１６のいずれかに記載の冷凍冷蔵庫。
【請求項１８】
前記断熱箱体の天面に設定温度等を表示する表示部を設けたことを特徴とする請求項１〜１７のいずれかに記載の冷凍冷蔵庫。
【請求項１９】
２台の冷凍冷蔵庫を上下に設置できるように、前記断熱箱体の天面に前記断熱箱体の底面に設けられた脚が入る穴を備えたことを特徴とする請求項１〜１８のいずれかに記載の冷凍冷蔵庫。
【請求項２０】
冷凍冷蔵庫の上に棚が設置できるように、前記断熱箱体の天面に前記棚の底面に設けられた脚が入る穴を備えたことを特徴とする請求項１〜１８のいずれかに記載の冷凍冷蔵庫。
【請求項２１】
請求項１〜２０のいずれかに記載の冷凍冷蔵庫をシステムキッチンと組み合わせて用いるようにしたことを特徴とするシステムキッチン。
【請求項２２】
前記冷凍冷蔵庫の高さを前記システムキッチンの高さに合わせるために、前記冷凍冷蔵庫の底面または上面に設置する調整台を備えたことを特徴とする請求項２１記載のシステムキッチン。
【発明の詳細な説明】
【技術分野】
【０００１】
この発明は、冷凍冷蔵庫に係り、特に、冷凍室、冷蔵室、野菜室などの配置により冷凍冷蔵庫の外部から入る熱を減らし省エネを図り、また、横幅を広くし高さを抑えた冷凍冷蔵庫及びそれを用いたシステムキッチンに関するものである。
【背景技術】
【０００２】
従来の冷凍冷蔵庫は、断熱箱体の内部を断熱仕切壁により仕切って冷凍室の上に冷蔵室、下に野菜室を配置し、冷却器から冷蔵室に送られた冷気を戻す風路を野菜室に連通させている（例えば、特許文献１参照）。
また、従来の冷凍冷蔵庫は、  断熱箱体と、区画壁により上から冷蔵室、冷凍室、野菜室に区画され、冷却器と、送風装置を備え、冷凍室へ冷気を送る風路を前記野菜室まで連通させている（例えば、特許文献２参照）。
【０００３】
【特許文献１】特開平３−２６７６７７（第２〜第３頁、第１図）
【特許文献２】特開平８−３０３９３１（段落００１０〜００１６、図１、図２）
【発明の開示】
【発明が解決しようとする課題】
【０００４】
従来の冷凍冷蔵庫の構成は冷凍室の壁が外気と接している箇所があるため、壁内外の温度差が大きくなり多くの熱が庫内へ入るという問題があった。
また、縦型の冷凍冷蔵庫は高さが１８０（ｃｍ）ほどあり女性の平均身長１５８（ｃｍ）に対して高く、冷凍冷蔵庫の上段で奥に置かれた収納物が見えにくく取り出しにくいという問題があった。
【０００５】
この発明は上述のような課題を解決するためになされたもので、冷凍冷蔵庫の外郭壁か
ら入る熱を減らし省エネを図り、また、冷凍冷蔵庫の横幅を広くし高さを抑えることで、使い勝手を向上させた冷凍冷蔵庫を得ることを目的とする。
【課題を解決するための手段】
【０００６】
この発明に係る冷凍冷蔵庫は、庫外箱と内箱とこれらの両者間に充填された断熱材とからなり、前面側が開口した断熱箱体を、仕切板により上段部屋、中段部屋、下段部屋に区画し、さらに、前記中段の部屋を仕切板により左中段部屋、中央部屋、中段右部屋に区画し、前記中央部屋を冷凍室とし、前記上段部屋、前記下段部屋、前記左中段部屋及び前記中段右部屋の温度帯を前記冷凍室より高くしたものである。
【発明の効果】
【０００７】
この発明は、断熱箱体を、仕切板により上段部屋、中段部屋、下段部屋に区画し、さらに、中段の部屋を仕切板により左中段部屋、中央部屋、中段右部屋に区画し、中央部屋を冷凍室とし、上段部屋、下段部屋、左中段部屋及び中段右部屋の温度帯を冷凍室より高くしたので、冷凍室が上下左右を冷凍室よりも温度帯の高い部屋で囲まれ、冷凍冷蔵庫の断熱箱体の内外の温度差が小さくなり、断熱箱体から入る熱が減り省エネを図ることができる。また、冷凍室の左右にも部屋を配置し冷凍冷蔵庫の横幅を広くし高さを抑えることで、使い勝手を向上させることができる。
【発明を実施するための最良の形態】
【０００８】
実施の形態１．
図１はこの発明の実施の形態に係る冷凍冷蔵庫の斜視図、図２は図１のＡ−Ａ’断面図、図３は図１のＢ−Ｂ’断面図、図４は冷凍冷蔵庫の仕切板部分を背面から見た分解斜視図、図５は冷凍冷蔵庫の定格内容積と寸法の関係図である。
図１〜４において、冷凍冷蔵庫の断熱箱体１０は鋼板の外箱１と、合成樹脂製の内箱２と、これら両者間に充填された断熱材３から構成され、縦、横の各仕切板４によって断熱箱体１０の内部は複数の部屋に区画されている。
【０００９】
これらの複数の部屋の上段の部屋は上段部屋６、下段の部屋は下段部屋８、中段の中央の部屋は中央部屋５、中段の左の部屋は中段左部屋７ａ、中段の右の部屋は中段右部屋７ｂである。各部屋は仕切板４により区画されているが、さらに、中央部屋５は、図４に示すように、背面板５１が各仕切板４の背面側の端面から内部に入り込んだ位置に配設されており、各仕切板４の背面側の端面は、断熱箱体１０の背面側の内側に当接している。この背面板５１と各仕切板４によって形成されるスペースには、冷却器１１とファン１２が配設されている。
【００１０】
また、上部の横方向の仕切板４には冷気の後述の風路を形成する貫通穴５３、５４、５５が設けられ、下部の横方向の仕切板４には、戻り口２６及び貫通穴５６、５７が設けられている。また、中央部屋５の背面板５１には、吹き出し口５２と戻り口２５が設けられている。
そして、中央部屋中段左部屋５を冷凍室、上段部屋６を冷蔵室、下段部屋８を野菜室、中段左部屋７ａ、中段右部屋７ｂを冷蔵室か野菜室としている。
【００１１】
上段屋６の冷蔵室と下段部屋８の野菜室は引き出し式であり、上段部屋６の冷蔵室は、引き出し扉６０と、この引き出し扉６０により引き出されるケース３０が設けられ、収納されている。このケース３０には、ケース３０を仕切３２で仕切り調味料置き場３１が設けられている。また、仕切３２は、調味料置き場３１まで風が届かないようにして冷えすぎを押さえるように、断熱箱体１０の内面の天井近くまでの高さにしている。また、庫内温度の設定などを表示する表示部３７が断熱箱体１０の天面に設けてられている。
下段部屋８の野菜室は、引き出し扉８０とこの引き出し扉８０により引き出されるケース８１が設けられている。また、庫内温度の設定などを表示する表示部３７が断熱箱体１０の天面に設けてられている。また、中央部屋５の冷凍室、 中段左部屋７ａ、中段右部屋７ｂには、扉５０、７０ａ、７０ｂが各々設けられている。
【００１２】
図１に示すように、断熱箱体１０の外形寸法の高さＨ、幅Ｗ、奥行きＤについては、後述のシステムキッチンと合わせて使用する場合、高さＨを約８５０（ｍｍ）、奥行きＤを約６５０（ｍｍ）とすると、定格内容積と幅Ｗの関係は図５のようになり、定格内容積が３８０（Ｌ）のとき幅は約１２５０（ｍｍ）となる。
冷凍冷蔵庫の上に電子レンジなどの小物家電を置いて利用する場合、高さＨは約１（ｍ）位まで高くてもよく、その分幅Ｗを小さく抑えられるので、定格内容積が３８０（Ｌ）のとき幅Ｗは約１１００（ｍｍ）となる（図５）。庫内の各部屋の高さは、上段部屋６の冷蔵室が約２０（ｃｍ）、中段部屋は約５０（ｃｍ）、下段部屋８の野菜室は約３０（ｃｍ）とする。また、中央部屋５の冷凍室の幅は約４０（ｃｍ）、冷凍室の左右の中段左部屋７ａ、中段右部屋７ｂに位置する冷蔵室あるいは野菜室の幅はそれぞれ約３０（ｃｍ）とする。
【００１３】
本実施例の冷凍冷蔵庫の冷凍サイクルは、図３に示すように、ＨＣ冷媒を圧縮するレシプロ式の圧縮機９と、冷媒が凝縮する凝縮器の放熱パイプ１４と、冷媒を減圧する絞り装置（図示せず）と、冷媒が蒸発する冷却器１１とをこの順序にて直列に接続してある。
冷却器１１は中央部屋５の冷凍室背面に配設し、冷却器１１からの冷気を送るファン１２は冷却器１１の上、中央部屋５の背面か上段部屋６の冷蔵室の背面に設置する。凝縮器の放熱パイプ１４は断熱箱体１０の側面、上面、底面、背面側の断熱材３内に通し、圧縮機９は下段部屋８の野菜室の背面側に設置する。小物家電用の電源コンセント１３を断熱箱体１０の外面に配設する。
【００１４】
ファン１２からの風路は、図２に示すように、大きく分けて中央風路１７、左風路１８、右風路１９の３風路があり、中央風路１７はファン１２から吹き出された冷気が、中央部屋５の冷凍室の背面板５１の吹き出し口５２から内部に流入し、冷凍室の戻り口２５を通り冷却器１１に戻る風路である。左風路１８はファン１２から吹き出された冷気が、上段部屋６の冷蔵室に流入し、貫通穴５４から中段左部屋７ａに流入し、下段部屋８の野菜室に流入し、戻り口２６を通って冷却器１１に戻る風路である。
【００１５】
右風路１９は、ファン１２から吹き出された冷気が、上段部屋６の冷蔵室に流入し、中段右部屋７ｂに流入し、下段部屋８の野菜室に流入し、戻り口２６を通って冷却器１１に戻る風路である。また、図３に示すように、下段部屋８の野菜室の戻り口２６には開閉できるダンパー２４が設けられている。
また、断熱箱体１０の天面を調理の準備に使用する場合、生ものが温まる危険を避けるのであれば、凝縮器の１４放熱パイプは天面に置かないこととする。
【００１６】
次に、実施の形態１に係る冷凍冷蔵庫の動作を図２〜４により説明する。
冷凍サイクルを構成する、圧縮機９、冷却器１１、ファン１２等が運転されると、冷却器１１で冷却された冷気は、中央風路１７では、中央部屋５の冷凍室の背面板５１の吹き出し口５２から内部に流入し、冷凍室の戻り口２５を通り冷却器１１に戻る。左風路１８では、上部の仕切板４の貫通穴５３から上段部屋６の冷蔵室に流入し、貫通穴５４から中段左部屋７ａに流入し、下部の仕切板４の貫通穴５７から下段部屋８の野菜室に流入し、戻り口２６を通って冷却器１１に戻る。右風路１９では、ファン１２から吹き出された冷気が、上部の仕切板４の貫通穴５３から上段部屋６の冷蔵室に流入し、貫通穴５５から中段右部屋７ｂに流入し、下部の仕切板４の貫通穴５６から下段部屋８の野菜室に流入し、戻り口２６を通って冷却器１１に戻る。冷気の流れは、下段部屋８の野菜室の戻り口２６のダンパー２４により制御される。
【００１７】
圧縮機９とファン１２が停止中は、冷却器１１の冷気が自然対流により下へ流れ、中央部屋５の冷凍室と下段部屋の８の野菜室へ別れて流れる。また、野菜室の戻り口２６のダンパー２４により冷気の流れが制御される。
また、実施の形態１に係る冷凍冷蔵庫の構成において、中央部屋５の冷凍室の周囲が温度帯の高い上段部屋６の冷蔵室、中段左部屋７ａの冷蔵室か野菜室、中段右部屋７ｂの冷蔵室か野菜室及び下段部屋８の野菜室で囲まれているので、外郭壁の内外の温度差が小さくなり、外郭壁から入る熱が減少する。
【００１８】
また、本実施の形態の冷凍冷蔵庫を使用する場合は、高さＨを約８５０（ｍｍ）とすることで、冷凍冷蔵庫の天井面にまな板を置き調理の準備ができる。高さＨは、日本人女性の平均的な身長から割り出した肘の高さ９５０（ｍｍ）が基準となっており、人間工学上、適正な調理台の高さは床から肘までの高さから１４０（ｍｍ）引いた高さ、ということで８５０（ｍｍ）と決められる。高さＨと奥行きＷがシステムキッチンと同じになるので、冷凍冷蔵庫をシステムキッチンと組み合わせたときに外観もよく、キッチン内の動線がつながる。
【００１９】
また、断熱箱体の高さＨを約０．８〜１（ｍ）とすることで、断熱箱体の上に電子レンジなどの小物家電を置くことができる。
また、小物家電用の電源コンセント１３を冷凍冷蔵庫の外壁に配設したので、更に利便性が増す。
また、中段左部屋７ａ、中段右部屋７ｂは上段部屋より高さがあるので、ペットボトルなど背の高い収納中段左部屋物が入れられる。
【００２０】
以上のように、外箱１と内箱２とこれらの両者間に充填された断熱材３とからなり、前面側が開口した断熱箱体１０を、仕切板４により上段部屋６、中段部屋、下段部屋８に区画し、さらに、中段の部屋を仕切板４により左中段部屋７ａ、中央部屋５、中段右部屋７ｂに区画し、中央部屋５を冷凍室とし、上段部屋６、下段部屋８、左中段部屋７ａ及び中段右部屋７ｂの温度帯を冷凍室より高くしたので、断熱箱体１０の温度は、冷凍室で一番低く周囲の上段部屋６、中段左部屋７ａ、中段右部屋７ｂ、下段部屋８に行くほど温度が高くなり断熱箱体１０の内外の温度差が小さいので、庫内に入る熱が少なくなり省エネを図ることができる。
【００２１】
また、中央部屋５の冷凍室の背面に冷却器を設けたので、冷凍冷蔵庫の中央で一番温度が低く、周囲に行くほど温度が高くなる部屋の配置に合っており、温度調節を容易にすることができる。
また、冷却器の上に冷気を循環させるファンを設けたので、中央部屋５の冷凍室と上段部屋６の冷蔵室から始まる中央風路１７、左風路１８、右風路１９に対して、ファンの位置も中央部屋５の冷凍室の背面か上段部屋６の冷蔵室の背面に設けると流れを作りやすく圧力損失も小さいため効率をよくすることができる。
【００２２】
また、上段部屋６を冷蔵室、下段部屋８を野菜室としたので、 一番使用頻度が高い冷蔵室が上段部屋６であり、収納物全体をよく見渡すことができ、奥の物も取り出しやすくすることができ、幅が広いのでお皿ごと収納できる。
また、下段部屋８は引き出し式の野菜室で、従来の縦型冷凍冷蔵庫よりも幅が広く浅いので、全体が見渡せて整理しやすい。
【００２３】
また、中央風路、前記左風路及び前記右風路の途中にある前記仕切板に、前記中央風路、前記左風路及び前記右風路を各々形成する貫通穴を備えたので、このように設けられた貫通穴だけで、冷気が温度の低い上段部屋６の冷蔵室から温度の高い下段部屋８の野菜室を通って冷却器１１に戻っていくので温度管理をしやすくすることができる。
また、従来のように、上から冷蔵室、冷凍室、野菜室の順番に並ぶ縦型冷凍冷蔵庫では冷蔵室から野菜室への風路が温度の低い冷凍室背面を通るなどダクトが複雑になっていたが、本形態の冷凍冷蔵庫は風路がシンプルなため庫内容積を有効に利用することができる。
【００２４】
また、圧縮機９とファン１２が停止中は冷却器１１の冷気が自然対流により下へ流れてくるが、中央部屋５の冷凍室の戻り口２５と下段部屋８の野菜室の戻り口２６を区分けすることにより冷気は中央部屋５の冷凍室と下段部屋８の野菜室へ別れて流れるため、冷気が下段部屋８の野菜室に大量に流れこみ冷えすぎる危険を防ぐことができる。
また、下段部屋の戻り口２６に冷気の流れを制御するダンパー２４を備えたので、冷気の流れ制御を確実にすることができる。
また、下段部屋８の野菜室の背面に高温の圧縮機９を配設したので、野菜室は冷凍室や冷蔵室に比べて温度が高いため、背面から入ってくる熱も少なくて済み、下段背面の壁４５の厚さも薄くすることができる。
【００２５】
また、調味料置き場３１を扉付近に設けたので、冷蔵室の中でも温度が高い場所であり調味料に適した環境とすることができる。これは、調味料・つゆ類は光の影響を受けたり高温状態が続くと成分が劣化して風味が損なわれるため冷凍冷蔵庫内で保管したほうがよいが、マヨネーズのように冷えすぎると分離して変質の原因となることもあるからである。また、冷凍冷蔵庫の天面を利用して料理を行う際、調味料置き場３１は物の出し入れがしやすい。また、ケース３０の仕切３２の高さを天井近くまでつけることで、調味料置き場３１まで風が届かなくなり冷えすぎを押さえられ、扉やパッキンからの熱ロスを減らすことができる。
【００２６】
また、断熱箱体の天面に設定温度等を表示する表示部を設けたので、扉に付けるよりも見えやすく操作性が向上する。また、表示部が扉に設置されていると断熱箱体１０の基板から扉まで配線をつなぐ必要があり、配線自体も長くなるので生産性が悪かったが、断熱箱体１０の天面に表示部３７を設置することで組み立てが容易になる。
【００２７】
なお、この発明に係る冷凍冷蔵庫について示した高さ等の寸法は、便宜上記載したものであり、この数値に限定するものではない。後述の他の実施の形態でも同様である。
また、本実施の形態では上段部屋６と下段部屋８を引き出し式として説明したが、これに限ることなく扉式であってもよい。
【００２８】
実施の形態２．
図６はこの発明の実施の形態２に係る冷凍冷蔵庫の正面方向からみた断面図、図７は冷凍冷蔵庫の仕切板部分を背面から見た分解斜視図である。
なお、実施の形態１の図２、図３と同一または相当部分には同一の符号を付し説明を省略する。図６において、断熱箱体１０の中央部屋５は冷凍室、上段部屋６は野菜室、下段部屋８は冷蔵室、中段左部屋７ａ、中段右部屋７ｂは冷蔵室か野菜室としている。
断熱箱体１０の高さと幅はそれぞれ約０．８〜１（ｍ）とし、庫内の区画の高さは上段部屋６の野菜室が約２５（ｃｍ）、中央部屋５、中段左部屋７ａ、中段右部屋７ｂは約５０（ｃｍ）、下段部屋８の冷蔵室は約２５（ｃｍ）とする。また、中央部屋５の冷凍室の幅は約４０（ｃｍ）、冷凍室の左右に位置する中段左部屋７ａの冷蔵室か野菜室と、中段右部屋７ｂの冷蔵室か野菜室の幅はそれぞれ約３０（ｃｍ）とする。上段部屋６の野菜室と下段部屋８の冷蔵室は引き出し式とする。
【００２９】
ファン１２からの風路は、図６、図７に示すように、ファン１２から吹き出された冷気が、中央部屋５の冷凍室の背面板５１の吹き出し口５２から内部に流入し、冷凍室の戻り口２５を通り冷却器１１に戻り、中央部屋５の冷凍室だけを通る中央風路１７と、ファン１２から吹き出された冷気が、中段左部屋７ａと中央部屋５との仕切板４に設けられた貫通穴５８から中段左部屋７ａに流入し、下部の仕切板４の貫通穴５７から下段部屋８の冷蔵室に流入し、戻り口２６を通って冷却器１１に戻る左風路２０と、ファン１２から吹き出された冷気が、中段右部屋７ｂと中央部屋５との仕切板４に設けられた貫通穴６３から中段右部屋７ｂに流入し、下部の仕切板４の貫通穴５６から下段部屋８の冷蔵室に流入し、戻り口２６を通って冷却器１１に戻る右風路２１とが設けられている。
また、上部の仕切板４に設けられた貫通穴５４、５５を介して、中段左部屋７ａ、中段右部屋７ｂと上段部屋６の野菜室を連通する風路２２、２３が設けられている。
【００３０】
以上のように、上段の部屋を野菜室、下段の部屋を冷蔵室としたので、冷凍冷蔵庫の天井面にまな板を置き調理の準備をする場合、野菜室が上段部屋６に配置されていると物の出し入れをしやすくすることができる。
また、通常、冷たい空気は底面に、温かい空気は上面に流れるため、一番温度の高い野菜室が上段部屋６に位置することで庫内の温度調整を容易にすることができる。
【００３１】
実施の形態３．
実施の形態１では、凝縮器の１４放熱パイプを断熱箱体１０の側壁面と天面、底面の断熱材３内に設けられており、この場合、冷凍冷蔵庫の断熱箱体１０の天面、底面よりも側壁面のほうが自然対流は起こりやすく放熱しやすい。しかし、冷凍冷蔵庫の高さを低く抑え横幅を広くすると上下の壁面の面積は増え、側壁面の面積は減少し、１４放熱パイプからの放熱量も減るので、本実施の形態では、凝縮器の１４放熱パイプに代えて、効率のよい強制空冷凝縮器１５を用いたものである。
【００３２】
図８はこの発明の実施の実施の形態３に係る冷凍冷蔵庫の断面図である。なお、実施の形態１の図３と同一または相当部分には同一の符号を付し説明を省略する。
図において、強制空冷凝縮器１５と圧縮機９が冷凍冷蔵庫の断熱箱体１０底面に配設されている。実施の形態１の図３と同様に、上段部屋６は冷蔵室、下段部屋８は野菜室である。
【００３３】
以上のように、強制空冷凝縮器と圧縮機を下段部屋の野菜室の底面側に配設したので、縦型冷凍冷蔵庫よりも横幅が広いため、幅広で薄い形状に強制空冷凝縮器１５を設計でき、冷凍冷蔵庫の内容積を減少させずに効率のよい凝縮器を搭載することができる。
【００３４】
また、側面に多くの放熱パイプ１４を設置している冷凍冷蔵庫では、建物の壁と冷凍冷蔵庫の間に隙間を作らなくてはいけなかったが、強制空冷凝縮器１５をメインとすることで、冷凍冷蔵庫の設置状況に関わらず安定した能力を出すことができる。
また、強制空冷凝縮器１５や圧縮機９は温度が高いので冷凍冷蔵庫内の冷気にとって熱ロスとなるが、下段部屋８も温度設定の高い野菜室とすれば、強制空冷凝縮器１５や圧縮機９から庫内に入ってくる熱ロスが少なくて済み省エネを図ることができる。
【００３５】
実施の形態４．
図９はこの発明の実施の形態４に係る冷凍冷蔵庫の断面図である。
実施の形態３では、強制空冷凝縮器１５は冷凍冷蔵庫の下段部屋８の野菜室の下方の断熱箱体１０の底面に配設したが、本実施の形態では、図９に示すように、放熱パイプ１４の代わりに強制空冷凝縮器１５を冷凍冷蔵庫の背面に配設したものである。また、実施の形態３と同様に、 上段部屋６は冷蔵室、下段部屋８は野菜室である。
【００３６】
このように、強制空冷凝縮器を下段の野菜室の背面に配設することにより、本実施の形態の冷凍冷蔵庫は、縦型冷凍冷蔵庫よりも横幅が広いので、強制空冷凝縮器１５を幅広で薄い形状に設計でき、冷凍冷蔵庫の内容積を減少させずに効率のよい強制空冷凝縮器を搭載することができる。
また、底面に設置するよりもホコリが凝縮器につきにくくすることができる。
また、使い勝手のよい冷凍冷蔵庫の手前の容積は残したまま、使い勝手の悪い冷凍冷蔵庫の奥側を利用して強制空冷凝縮器１５を設置することになるので有効に空間を使用することができる。
また、強制空冷凝縮器１５や圧縮機９は温度が高いので冷凍冷蔵庫内の冷気にとって熱ロスとなるが、下段部屋８も温度設定の高い野菜室とすれば、強制空冷凝縮器１５や圧縮機９から庫内に入ってくる熱ロスが少なくて済み省エネを図ることができる。
【００３７】
実施の形態５．
図１０はこの発明の実施の形態５に係る冷凍冷蔵庫の断面図である。
実施の形態３では、強制空冷凝縮器１５を下段部屋８の野菜室下方の断熱箱体１０の底面に、実施の形態３では、強制空冷凝縮器１５を下段部屋８の野菜室の背面側の断熱箱体１０の背面に配設したが、本実施の形態では、図１０に示すように、強制空冷凝縮器１５と圧縮機９を冷凍冷蔵庫の断熱箱体１０の天面に配設したものである。また、実施の形態２と同様に、上段部屋６は野菜室、下段部屋８は冷蔵室である。
【００３８】
このように、強制空冷凝縮器と圧縮機を上段部屋の野菜室の上面側の断熱箱体の天面に配設したので、冷凍冷蔵庫の上段部屋６を温度帯の高い野菜室とする場合、庫内に入ってくる熱ロスが少なくて済み省エネを図ることができる。
【００３９】
実施の形態６．
図１１はこの発明の実施の形態６に係る冷凍冷蔵庫の断面図である。
本実施の形態は、実施の形態５の前記強制空冷凝縮器と前記圧縮機の上に、強制空冷凝縮器と圧縮機の排熱・送風により食器を乾燥させる簡易的な乾燥用ケースを設けたものである。
【００４０】
図１１に示すように、乾燥用ケース１６は、強制空冷凝縮器と前記圧縮機を覆うように設けられ、吸込み口２９と吹出し口２７を有する本体ケース１６ａと、この本体ケース１６ａの上方を覆い本体ケース１６ａとの間に乾燥室を形成するカバー１６ｂと、吹出し口２７に設けられて、ホコリを取るフィルター２８とが設けられている。
【００４１】
この構成において、本体ケース１６ａの吸い込み口２９から吸い込まれた空気が、強制空冷凝縮器１５と圧縮機９を通って温たまり、吹き出し口２７からフィルター２８を介してカバー１６ｂ内に吹き出す。乾燥用ケース１６内には洗い終わった食器類が入れられ、簡易的な食器乾燥機の役割を果たす。なお、フィルター２８の交換も可能で、外部からはフィルター２８が見えないので外観も損なわない。
また、フィルター２８を強制空冷凝縮器１５の上流の吸い込み口２９に設けると、強制空冷凝縮器１５にホコリが付くのを防げるため、空気清浄だけでなく強制空冷凝縮器１５の性能を保つ役割も果たせる。また冷凍冷蔵庫の前面に位置するためフィルター２８の交換がしやすい。
【００４２】
以上のように、前記強制空冷凝縮器と前記圧縮機の排熱・送風により食器を乾燥させる乾燥用ケースを前記強制空冷凝縮器と前記圧縮機の上に備えたので、強制空冷凝縮器と圧縮機の排熱を有効に利用することができる。
【００４３】
実施の形態７．
図１２はこの発明の実施の形態７に係る冷凍冷蔵庫の正面図である。
本実施の形態は、実施の形態１〜４で示した冷凍冷蔵庫２台を、上下に設置できるようにしたもであり、冷凍冷蔵庫の底面に脚３４を設け、冷凍冷蔵庫の断熱箱体１０の天面に脚３４が入る穴３３を設けたものである。
【００４４】
断熱箱体１０の床面からの高さＨ８５０（ｍｍ）、奥行きＤ６５０（ｍｍ）、定格内容積２００（Ｌ）の場合、図４から幅Ｗは８００（ｍｍ）である。２００（Ｌ）の冷凍冷蔵庫を２台上下に置くと合計で定格内容積４００（Ｌ）、高さ１７００（ｍｍ）となり、縦型冷凍冷蔵庫と同様に使用することができる。なお、１台で使うときは穴３３をゴムキャップでふさぐ。
【００４５】
このように、２台の冷凍冷蔵庫を上下に設置できるように、前記断熱箱体の天面に前記断熱箱体の底面に設けられた脚が入る穴を備えたので、幅Ｗと奥行きＤを統一して２００〜２５０（Ｌ）機種を揃えれば、夫婦２人暮らしのときは２００〜２５０（Ｌ）の冷凍冷蔵庫１台を使用し、家族の増加とともに冷凍冷蔵庫の組み合わせを自由に選んで追加することができる。
【００４６】
実施の形態８．
図１３はこの発明の実施の形態８に係る冷凍冷蔵庫の正面図である。実施の形態７は冷凍冷蔵庫を２台上下に設置できるようにしたが、本実施の形態は上に設置する冷凍冷蔵庫の代わりに棚３８を設置するものである。
図１３に示すように、冷凍冷蔵庫と棚３８を上下に設置できるように、断熱箱体１０の天面に脚３４が入る穴３３を設けている。
なお、棚３８を設置しないで１台で使うときは穴３３をゴムキャップでふさぐ。冷凍冷蔵庫と棚のデザインや色を同じにすることでキッチンに統一感が出る。
【００４７】
このように、冷凍冷蔵庫の上に棚が設置できるように、前記断熱箱体の天面に前記棚の底面に設けられた脚が入る穴を備えたこので、棚の中にオーブンレンジ、炊飯ジャー、ポットといった小物家電を収納して扉で隠すことができ、また、電気品が一箇所に固まるので電源コードも取り回しを便利にすることができる。
【００４８】
実施の形態９．
図１４はこの発明の実施の形態９に係る冷凍冷蔵庫の正面方向からみた断面図、図１５は冷凍冷蔵庫の仕切板部分を背面から見た分解斜視図である。なお、実施の形態１の図２と同一または相当部分には同一の符号を付し説明を省略する。本実施の形態は、中段右部屋を温度を自由に設定できる切替室としたものである。
【００４９】
ファン１２からの風路は、図１４、図１５に示すように、ファン１２から吹き出された冷気が、中央部屋５の冷凍室の背面板５１の吹き出し口５２から内部に流入し、冷凍室の戻り口２５を通り冷却器１１に戻る中央風路１７と、ファン１２から吹き出された冷気が、中段右部屋７ｂと中央部屋５との仕切板４の上部に設けられた吹出し用の貫通穴６３から中段右部屋７ｂに流入し、仕切板４の下部の戻り用の貫通穴５９を通って冷却器１１に戻る右風路３５とが設けられている。また、ファン１２から中段右部屋７ｂを通る途中の仕切板４の貫通穴６３に風量を調節するダンパー３６が配設されている。
ダンパー３６の開閉によって中段右部屋７ｂは他の部屋と独立して温度調節が可能となる。なお、中段左部屋７ａを切替室とした場合も同様である。
【００５０】
このように、中段左部屋または中段右部屋を温度を自由に設定できる切替室とし、ファンから吹き出された冷気が前記中段左部屋または前記中段右部屋を通り前記冷却器へと戻る風路を備えたので、中段左部屋７ａまたは中段右部屋７ｂは他の部屋と独立して温度調節をすることができる。
また、風路の途中にある前記仕切板に、前記風路を形成する冷気の吹出し用と戻り用の貫通穴を備えたので、風路がシンプルなため庫内容積を有効に利用することができる。
また、前記吹き出し用の貫通穴に冷気の冷気の流れを制御するダンパーを備えたので、冷気の流れ制御を確実にすることができる。
【００５１】
実施の形態１０．
図１６はこの発明の実施の形態１０に係る冷凍冷蔵庫の正面図である。なお、実施の形態１の図１と同一部分については同一の符号を付し説明を省略する。
近年、冷凍食品の利用が増加しているため、冷凍室が大きいことがメリットとなる。本実施の形態は、中段右部屋７ｂに食べ物を入れる場合、幅は３０（ｃｍ）以上ほしいが、ペットボトルや調味料を専用に入れる冷蔵室にした場合、幅は約２０ｃｍで済むため、中央部屋５の冷凍室は幅５０（ｃｍ）と広くしたものである。
【００５２】
このように、中段左部屋あるいは前記中段右部屋を容器入り飲料あるいは調味料用冷蔵室として幅を狭くし、前記冷凍室の幅を広くしたので、 使い勝手がよくすることができる。また、冷凍室が大きくなっても冷凍室の左右の部屋は冷蔵室や野菜室の設定であるため、温度が高く庫外からの熱漏洩を少なくすることができる。
【００５３】
実施の形態１１．
図１７はこの発明の実施の形態１１に係る冷凍冷蔵庫の正面図である。
実施の形態１〜１０では、上段部屋６を引き出し式としたが、上段部屋６を引き出し式とすると、引き出すために大きな力を必要とするので開閉がしにくくなる。また、実施形態７のように２台を重ねるとき、引き出し式では上段の庫内が見えなくなってしまう。そこで本実施の形態は、上段部屋６の扉を両開きの観音扉とし、上段の高さを４０（ｃｍ）と広めにして、中段、下段の高さをそれぞれ４０（ｃｍ）、２０（ｃｍ）に抑えた冷凍冷蔵庫としたものである。
【００５４】
このように、上段部屋６を両開きの観音扉としたので、引き出すために大きな力を必要とせず、また、実施形態７のように２台を重ねても上段部屋内を見ることができる。
【００５５】
実施の形態１２．
図１８、１９はこの発明の実施の形態１２に係る冷凍冷蔵庫の正面図である。実施の形態 １〜４、９〜１１で示した冷凍冷蔵庫をシステムキッチンに組み合わせて使用する場合、システムキッチンの高さは８０〜９０（ｃｍ）の中から選べるようになっているため、本実施の形態は、冷凍冷蔵庫もシステムキッチンの高さに合わせるために、冷凍冷蔵庫の高さを８０（ｃｍ）とし、冷凍冷蔵庫の天面に穴３３を設け、冷凍冷蔵庫の底面には穴３３に入る大きさの脚３４を設ける。また、脚３４と穴３３を有する調整台４６を備えている。この調整台４６を冷凍冷蔵庫の天面、または、底面にも設置可能である。調整台４６は、１（ｃｍ）の厚さとし、調整台４６を重ねて高さを調節する。
【００５６】
図１８はこの調整台４６を冷凍冷蔵庫の天面に、図１９はこの調整台４６を冷凍冷蔵庫の底面に設置した場合を示す。この調整台４６を使用して、冷凍冷蔵庫の高さをシステムキッチン高さ８０〜９０（ｃｍ）に調整する。調整台４６が不要なときは、穴３３をゴムキャップでふさぐ。
【００５７】
このように、冷凍冷蔵庫の高さを前記システムキッチンの高さに合わせるために、前記冷凍冷蔵庫の底面または上面に設置する調整台を備えたので、冷凍冷蔵庫をシステムキッチンに組み合わせて使用することができる。
【００５８】
実施の形態１３．
図２０〜２２は、この発明に係る冷凍冷蔵庫を、システムキッチンに組み合わせて用いた実施の形態１３を示す斜視図である。
図２０に示すＩ型壁付けのシステムキッチンでは、換気扇４２とコンロ３９、食器洗い乾燥機４０、シンク４１が並んでいるため、シンク４１の横に冷凍冷蔵庫を置けば、食品を冷凍冷蔵庫から取り出してシンクで水洗いし、冷凍冷蔵庫の上で食品を切る動作がスムーズに行く。調理中は冷凍冷蔵庫から取り出した物を冷凍冷蔵庫の上に並べられるので食品の出し入れが便利である。また、買ってきた食品を冷凍冷蔵庫に入れる際も買い物袋を冷凍冷蔵庫の上に置いて整理できる。
【００５９】
図２１に示すII列型のシステムキッチンでは、シンク４１はリビングの方を向き、コンロ３９は壁付け式になっている。シンク４１の台が広くシンク横のスペースで調理の準備が十分にできる場合、冷凍冷蔵庫上のスペースはオーブンレンジ４３などの小物家電を設置して、電気類を一箇所に集められる。オープンキッチンでは縦型の冷凍冷蔵庫は人目につきやすく、冷蔵室の扉を開けたときに中が見えるが、この発明に係る 冷凍冷蔵庫は横幅を広くし高さを抑えてあるので、シンクの影に隠れ、人目につきにくくすることができる。
【００６０】
図２２はアイランド型のシステムキッチンを示しており、冷凍冷蔵庫をアイランドの一部としてテーブル代わりに使うことができる。冷凍冷蔵庫の上で食べ物を切ったり、調味料やお皿を冷凍冷蔵庫の上に置いたり、出来上がった料理をリビングダイニングに運ぶ際に使用する。この場合、冷凍冷蔵庫背面は人から見えるので扉や側面と同じように化粧板で構成する。
図２３は図２２のＣ−Ｃ’断面図であり、断熱箱体１０の天面を使って調理の準備をする場合、水などがこぼれて天面からこぼれてしまう可能性があるので、天面の周囲に高さ５ｍｍ程度の突起４４を設けたものである。
【図面の簡単な説明】
【００６１】
【図１】この発明の実施の形態１に係る冷凍冷蔵庫の前方斜視図である。
【図２】図１のＡ−Ａ’断面図である。
【図３】図１のＢ−Ｂ’断面図である。
【図４】この発明の実施の形態１に係る冷凍冷蔵庫の仕切板部分を背面から見た分解斜視図である。
【図５】冷凍冷蔵庫の定格内容積と寸法の関係図である。
【図６】この発明の実施の形態２に係る冷凍冷蔵庫の断面図である。
【図７】この発明の実施の形態２に係る冷凍冷蔵庫の仕切板部分を背面から見た分解斜視図である。
【図８】この発明の実施の形態３に係る冷凍冷蔵庫の断面図である。
【図９】この発明の実施の形態４に係る冷凍冷蔵庫の断面図である。
【図１０】この発明の実施の形態５に係る冷凍冷蔵庫の断面図である。
【図１１】この発明の実施の形態６に係る冷凍冷蔵庫の断面図である。
【図１２】この発明の実施の形態７に係る冷凍冷蔵庫の正面図である。
【図１３】この発明の実施の形態８に係る冷凍冷蔵庫の正面図である。
【図１４】この発明の実施の形態９に係る冷凍冷蔵庫の断面図である。
【図１５】この発明の実施の形態９に係る冷凍冷蔵庫の仕切板部分を背面から見た分解斜視図である。
【図１６】この発明の実施の形態１０に係る冷凍冷蔵庫の前方斜視図である。
【図１７】この発明の実施の形態１１に係る冷凍冷蔵庫の前方斜視図である。
【図１８】この発明の実施の形態１２に係る冷凍冷蔵庫の正面図である。
【図１９】この発明の実施の形態１２に係る冷凍冷蔵庫の正面図である。
【図２０】この発明の実施の形態１３に係る冷凍冷蔵庫を用いたシステムキッチンの前方斜視図である。
【図２１】この発明の実施の形態１３に係る冷凍冷蔵庫を用いたシステムキッチンの前方斜視図である。
【図２２】この発明の実施の形態１３に係る冷凍冷蔵庫を用いたシステムキッチンの前方斜視図である。
【図２３】この発明の実施の形態１３に係る冷凍冷蔵庫の断面図である。
【符号の説明】
【００６２】
１ 外箱、２  内箱、３  断熱材、４  仕切板、５  中央部屋、６  上段部屋、７ａ  中段左部屋、７ｂ  中段右部屋、８  下段部屋、９  圧縮機、１０  断熱箱体、１１  冷却器、１２  ファン、１３  電源コンセント、１４  放熱パイプ、１５  強制空冷凝縮器、１６  乾燥用ケース、１７  中央風路、１８  左風路、１９  右風路、２０  左風路、２１右風路、２２  風路、２３  風路、２４  ダンパー、２５  戻り口、２６  戻り口、３１   調味料置き場、３０  ケース、３２  仕切、３３  穴、３４  脚、３５  右風路、３６  ダンパー、３７  表示部、４４  突起、４５  下段背面の壁、４６  調整台、５０、扉、５１  背面板、５２  吹き出し口、５３〜５９、６３  貫通穴、６０、８０  扉。
【図１】
2008082625.tif 000003
【図２】
2008082625.tif 000004
【図３】
2008082625.tif 000005
【図４】
2008082625.tif 000006
【図５】
2008082625.tif 000007
【図６】
2008082625.tif 000008
【図７】
2008082625.tif 000009
【図８】
2008082625.tif 000010
【図９】
2008082625.tif 000011
【図１０】
2008082625.tif 000012
【図１１】
2008082625.tif 000013
【図１２】
2008082625.tif 000014
【図１３】
2008082625.tif 000015
【図１４】
2008082625.tif 000016
【図１５】
2008082625.tif 000017
【図１６】
2008082625.tif 000018
【図１７】
2008082625.tif 000019
【図１８】
2008082625.tif 000020
【図１９】
2008082625.tif 000021
【図２０】
2008082625.tif 000022
【図２１】
2008082625.tif 000023
【図２２】
2008082625.tif 000024
【図２３】
2008082625.tif 000025